(57)【要約】【課題】端末装置の表示を頼りにして最短で避難場所に辿り着くことができ、災害者に対する安全性を高めた避難誘導システムを提供する。【解決手段】端末装置１の位置情報を、ユーザ位置情報Ｍ１として取得する毎に、端末装置１ひいてはユーザの現在位置と、避難場所である目的地Ｏの位置だけでなく、ユーザの現在位置を起点とした目的地Ｏに向かう方向も、端末装置１の表示部２６にそれぞれ表示される。そのため、ユーザの現在位置から目的地Ｏに向かうまでの避難経路が寸断されていても、端末装置２の表示部２６に表示されるユーザの現在位置や、目的地Ｏの位置に加えて、目的地Ｏに向かう方向を頼りにして、最短で避難する目的地Ｏに辿り着くことができる。【選択図】図２
2014229050.tif 000002
【特許請求の範囲】
【請求項１】
災害から退避するための目的地の位置情報を記憶する目的地位置情報記憶手段と、
ユーザが携帯所持する端末装置の位置情報を所定時間毎に取得し、この端末装置の位置情報と前記目的地位置情報記憶手段からの目的地の位置情報とに基づき、前記端末装置を起点とした前記目的地の方向を所定時間毎に算出する方向算出手段と、
前記端末装置の表示部に、前記端末装置の位置情報で得られる当該端末装置の現在位置と、前記目的地の位置情報で得られる前記目的地の位置と、前記方向算出手段の算出結果で得られる前記端末装置を起点とした前記目的地の方向とをそれぞれ表示させる表示制御手段と、を備えたことを特徴とする避難誘導システム。
【請求項２】
前記表示制御手段は、前記端末装置で検出した当該端末装置の向かう方向を、前記目的地の方向と共に前記端末装置の表示部に表示させるものであることを特徴とする請求項１記載の避難誘導システム。
【発明の詳細な説明】
【技術分野】
【０００１】
本発明は、被災者が所有する端末装置と通信を行なうことで、被災者を特定の避難場所に誘導する避難誘導システムに関する。
【背景技術】
【０００２】
災害発生時に被災者の安全を確保するための避難誘導システムとして、例えば特許文献１には、端末装置側で被災者の現在位置を取得する一方で、サーバ側で災害から避難するための避難場所を示す情報を記憶しておき、端末装置の表示画面で、被災者の現在位置を中心として、最寄りの避難場所までの避難経路と、避難経路に沿って現在位置から進むべき避難方向とを、地図上に表示させるものが提案されている。
【先行技術文献】
【特許文献】
【０００３】
【特許文献１】特開２０１２−１９５００２号公報
【発明の概要】
【発明が解決しようとする課題】
【０００４】
上記引用文献１の避難誘導システムでは、災害が不意に発生した場合でも、被災者は具体的にどの目的地に避難すべきかを、普段携帯する端末装置の表示画面で直ちに確認することができる。しかし、災害時には地震や津波による影響で、実際の避難経路が既に寸断されている場合があり、端末装置に表示される避難経路や、その避難経路に沿った避難方向を手掛かりにして、実際に避難を行なおうとしても、これらの表示が頼りにならず、最寄りの避難場所に速やかに辿り着けない安全上の不備があった。
【０００５】
そこで、本発明は上記問題点に鑑み、端末装置の表示を頼りにして最短で避難場所に辿り着くことができ、災害者に対する安全性を高めた避難誘導システムを提供することを主な目的とする。
【課題を解決するための手段】
【０００６】
請求項１の避難誘導システムは、災害から退避するための目的地の位置情報を記憶する目的地位置情報記憶手段と、ユーザが携帯所持する端末装置の位置情報を所定時間毎に取得し、この端末装置の位置情報と前記目的地位置情報記憶手段からの目的地の位置情報とに基づき、前記端末装置を起点とした前記目的地の方向を所定時間毎に算出する方向算出手段と、前記端末装置の表示部に、前記端末装置の位置情報で得られる当該端末装置の現在位置と、前記目的地の位置情報で得られる前記目的地の位置と、前記方向算出手段からの算出結果で得られる前記端末装置を起点とした前記目的地の方向とをそれぞれ表示させる表示制御手段と、を備えたことを特徴とする。
【０００７】
請求項２の避難誘導システムは、請求項１において、前記表示制御手段が、前記端末装置で検出した当該端末装置の向かう方向を、前記目的地の方向と共に前記端末装置の表示部に表示させるものであることを特徴とする。
【発明の効果】
【０００８】
請求項１の発明によれば、ユーザが携帯所持する端末装置の位置情報を取得する毎に、端末装置ひいてはユーザの現在位置と、避難場所である目的地の位置だけでなく、ユーザの現在位置を起点とした目的地に向かう方向も、端末装置の表示部に表示される。そのため、仮にユーザの現在位置から目的地に向かうまでの避難経路が寸断されている状況下でも、端末装置の表示部に表示されるユーザの現在位置や、目的地の位置に加えて、目的地に向かう方向を頼りにして、最短で避難する目的地に辿り着くことができ、災害者に対する安全性を高めた避難誘導システムを提供できる。
【０００９】
請求項２の発明によれば、端末装置の表示部には、ユーザの現在位置から目的地に向かう方向と共に、現在のユーザの向いている方向が表示される。つまり、端末装置１の表示部において、ユーザの向いている方向が、目的地に向かう方向と一致するように、ユーザが実際に避難場所となる目的地に向けて移動すれば、表示部に表示される内容を十分に理解しなくても、その目的地に自ずと最短距離で到達することが可能になる。
【図面の簡単な説明】
【００１０】
【図１】本発明の一実施形態における避難誘導システムの概要を示す説明図である。
【図２】同上、避難誘導システムの全体構成を示すブロック図である。
【図３】同上、目的地情報が送出される間の一表示形態を示す表示部の平面図である。
【図４】同上、サーバ側の動作手順を示すフローチャートである。
【発明を実施するための形態】
【００１１】
以下、本発明における避難誘導システムの一実施形態について、添付図面を参照しながら説明する。
【００１２】
図１は、本実施形態の避難誘導システムで実現する避難誘導の概要を説明するものである。同図において、１は避難対象のユーザが携帯する端末装置、Ｏは避難場所として、ユーザが予め端末装置１から入力設定した目的地である。ここでは説明の都合上、２つの目的地Ｏ１，Ｏ２だけが示されているが、ユーザが端末装置１から任意の数の目的地Ｏ１，Ｏ２，…Ｏｎ（ｎは１以上の自然数）を入力設定できる。
【００１３】
複数の目的地Ｏ１，Ｏ２の中で、端末装置１からの操作入力によりユーザが指定した目的地Ｏ１にユーザが到達するまでの過程で、端末装置１には、その端末装置１の現在位置を含む景観を再現する地図表示体１０に、端末装置１ひいてはユーザの位置を示すユーザ位置表示体１１と、ユーザの向いている方向を示すユーザ方向表示体１２と、地図表示体１０上における目的地Ｏ１の位置に対応した目的地表示体Ｔ１と、目的地表示体Ｔ１の存在する方向を示す目的地方向表示体１３と、端末装置１から目的地Ｏ１までの実際の距離を示す距離表示体１４と、を重ね合わせたものが表示される。
【００１４】
図１（ａ）はユーザがほぼ真北を向いている状態を示し、図１（ｂ）はユーザがほぼ北北西を向いている状態を示しているが、ユーザ方向表示体１２の方向が目的地方向表示体１３の方向と一致するように、ユーザが実際に目的地Ｏ１に向けて進行することで、ユーザは最短距離で目的地Ｏ１に辿り着くことができる。また、ユーザが目的地Ｏ１に到着した後、端末装置１からの操作入力によって次の目的地Ｏ２を指定することで、図１と同様の表示を目的地Ｏ２に対して行なうことができる。
【００１５】
次に、本実施形態における避難誘導システムの全体構成を、図２に基づき説明する。同図において、ここでの避難誘導システムは、システムに予め登録した各ユーザが保有する端末装置１と、サーバ２とにより構成され、端末装置１とサーバ２はインターネットなどの通信手段３により相互に接続される。図２では、一台の端末装置１だけを示しているが、ユーザが複数存在する場合、同様の構成を有する複数台の端末装置１が通信手段３に接続される。
【００１６】
端末装置１は、通信手段３を介したサーバ２との無線通信機能と、位置データ検出機能と、方向データ検出機能と、表示機能とを備えたものであればよく、好ましくは携帯可能なスマートフォンの他に、パーソナルコンピュータ，携帯電話機，タブレット端末，腕時計，携帯型情報処理端末などで構成される。より具体的には、端末装置１は、無線通信機能を兼用する制御部２１の入力ポートに、操作信号を出力する操作部２２と、位置データ検出機能を備えた位置検出部２３と、方向データ検出機能を備えた方向検出部２４とをそれぞれ接続する一方で、制御部２１の出力ポートに表示部２６を接続したハードウェア構成を有する。
【００１７】
端末装置１の表側には、表示部２６となるＬＣＤユニットと、操作部２２となる透明なタッチパネルとを重ね合わせた操作表示ユニット２７（図１を参照）が配設される。勿論、操作部２２と表示部２６とを別な個所に配設した構成でもよい。
【００１８】
位置検出部２３は、例えばＧＰＳ（Global Positioning System）衛星からの信号を受信して、現在地の測位データを出力するＧＰＳ受信機で構成される。このＧＰＳ受信機は、スマートフォンのような端末装置１に予め搭載されるが、端末装置１の位置が検出できるものであれば、別な機器を用いても構わない。また、方向検出部２４は、端末装置１の向いている方位角を検出して、その検出結果を方位データとして出力するもので、これもスマートフォンのような端末装置１では、加速度センサとして予め搭載される。これらの位置検出部２３や方向検出部２４は、端末装置１とは別体に設けられたものでも構わない。
【００１９】
制御部２１は、例えばＣＰＵ（Central Processing Unit）などの制御装置であり、サーバ２にアクセスして予めダウンロードされ、図示しない記憶部にゲーム用のアプリケーションとして記憶されたプログラムにより動作を制御されている。この制御部２１は、記憶部からの当該プログラムを読み取ることで機能するソフトウェア構成として、ユーザ位置情報作成手段３１と、表示制御手段３２と、ユーザ方向情報作成手段３３を、それぞれ備えている。
【００２０】
一方、サーバ２は、制御部４１と記憶部４２とを備えたハードウェア構成を有する。制御部４１はＣＰＵなどの制御装置であり、記憶部４２に記憶されたプログラムを読み取ることで機能するソフトウェア構成として、目的地位置設定手段５１と、目的地情報作成手段５２と、目的地到達判定手段５３を、それぞれ備えている。また、記憶部４２には、制御部４１の動作を制御する前述のプログラムの他に、目的地位置設定手段５１で設定した目的地位置情報Ｍ３を記憶する目的地位置情報記憶手段５５などを備えている。制御部４１を構成する各手段５１，５２，５３は、端末装置１にインストールされたアプリケーション、すなわち制御部２１を構成する各手段３１，３２，３３，３４と連携して動作することで、端末装置１とサーバ２との間で、通信手段３を介して様々な信号や情報のやり取りを行なう構成となっている。
【００２１】
端末装置１側のユーザ位置情報作成手段３１は、位置検出部２３から所定時間（例えば１秒）毎に送出される測位データに基づき、端末装置１ひいてはその端末装置１を携帯するユーザの現在位置（緯度および経度）を、ユーザ位置情報Ｍ１として算出するものである。ユーザ位置情報作成手段３１がユーザ位置情報Ｍ１を算出する毎に、このユーザ位置情報Ｍ１が、制御部２１の表示制御手段３２のみならず、通信手段３を介してサーバ２の目的地情報作成手段５２や、目的地到達判定手段５３に送出される。
【００２２】
ユーザ方向情報作成手段３３は、方向検出部２４から所定時間（例えば１秒）毎に送出される方位データに基づき、端末装置１ひいてはその端末装置１を携帯するユーザの向かう方向（方位角）を、ユーザ方向情報Ｍ２として算出するものである。ユーザ方向情報作成手段３３がユーザ方向情報Ｍ２を算出する毎に、この方向情報Ｍ２が制御部２１の表示制御手段３２に送出される。
【００２３】
目的地位置設定手段５１は、ユーザが予め避難場所として指示した目的地Ｏの位置（緯度および経度）を、目的地位置情報Ｍ３として設定するものである。ここでは、端末装置１の操作部２２からの操作入力に対応した制御部２１からの制御信号Ｃ１に基づき、一つの目的地Ｏに対して一つの目的地位置情報Ｍ３が目的地位置設定手段５１で設定され、記憶部４２の目的地位置情報記憶手段５５に記憶保持される。目的地Ｏは前述のように複数配設することができ、それに対応して目的地位置情報Ｍ３も目的地位置情報記憶手段５５にそれぞれ記憶保持される。目的地位置設定手段５１は、こうした新たな目的地Ｏに対する目的地位置情報Ｍ３の設定だけでなく、制御部２１からの別な制御信号を受けて、目的地位置情報記憶手段５５に記憶される目的地位置情報Ｍ３の削除も行えるようになっている。
【００２４】
目的地到達判定手段５３は、ユーザ位置情報作成手段３１からのユーザ位置情報Ｍ１と目的地位置情報記憶手段５５からの目的地位置情報Ｍ３との比較により、ユーザが目的地Ｏの位置に到達したか否かを判定するもので、ユーザが目的地Ｏの位置に到達したと判断した場合には、目的地情報作成手段５２に目的地到達情報Ｍ４を送出する機能を有している。
【００２５】
目的地情報作成手段５２は、操作部２２からの操作入力により、特定の目的地Ｏについて、図１に示すような避難誘導をスタートさせる旨の制御信号Ｃ１が制御部２１から送出された場合に、目的地位置情報記憶手段５５からの目的地位置情報Ｍ３とユーザ位置情報作成手段３１からのユーザ位置情報Ｍ１とに基づいて、目的地位置情報記憶手段５５に記憶する全ての目的地Ｏの位置と、ユーザの現在位置から特定の目的地Ｏへの方向（方位角）と、ユーザの現在位置から特定の目的地Ｏまでの距離を、目的地情報Ｍ５として算出し、通信手段３を介してこの目的地情報Ｍ５を端末装置１の表示制御手段３２に送出する一方で、目的地到達判定手段５３から目的地到達情報Ｍ４を受取ると、目的地情報Ｍ５に代わって、特定の目的地Ｏ以外に避難する別な目的地Ｏが存在するのか否かについて、操作部２２からの入力を催促する問合せ情報Ｍ６を、表示制御手段３２に送出するものである。
【００２６】
表示制御手段３２は、目的地情報作成手段５２が目的地情報Ｍ５を送出する間は、ユーザ位置情報作成手段３１からのユーザ位置情報Ｍ１を所定時間毎に取得して、端末装置１の現在位置を特定すると共に、その現在位置を含んだ地図情報Ｍ７を通信手段３から取得して、景観を再現する地図情報Ｍ７に対応した地図表示体１０上に、ユーザの現在位置に対応したユーザ位置表示体１１を重ねわせたものを表示部２６に表示させ、さらに目的地情報Ｍ５とユーザ方向情報作成手段３３からのユーザ方向情報Ｍ２とに基づき、地図表示体１０の表示範囲内に存在する全ての目的地Ｏの位置と、現在位置からユーザが予め指定した特定の目的地Ｏへの方向と、ユーザの現在位置から特定の目的地Ｏまでの距離と、端末装置１ひいてはユーザの向かう方向とを、それぞれ目的地表示体Ｔ１と、目的地方向表示体１３と、距離表示体１４と、ユーザ方向表示体１２として、表示部２６に表示させる一方で、目的地情報作成手段５２が目的地情報Ｍ５ではなく、問合せ情報Ｍ６を送出した場合には、その問合せ情報Ｍ６に基づき、特定の目的地Ｏ以外に別な目的地Ｏに向かうか否かについて、操作部２２からの入力を促すような表示体（図示せず）を、表示部２６に表示させる機能を有する。
【００２７】
図３は、目的地情報Ｍ５が送出される間の表示部２６の一表示形態を示している。同図において、表示制御手段３２は、ユーザ位置情報作成手段３１で所定時間毎に作成されるユーザ位置情報Ｍ１を取り込んで、端末装置１の現在位置を特定し、その現在位置を含む公開された地図情報Ｍ７を通信手段３から取込むことにより、その地図情報Ｍ７に対応して、景観を再現するための地図表示体１０を表示部２６に表示させると共に、ユーザ位置情報Ｍ１に基づいた端末装置１の現在位置に対応するユーザ位置表示体１１としての座標点６２を、地図表示体１０と重ね合わせて表示させる。
【００２８】
また、スマートフォンのような端末装置１は、位置検出部２３だけでなく、端末装置１の向いている方位角を、方向検出部２４により方位データとして取得できる。そこで、表示制御手段３２は、ユーザ方向情報作成手段３３からのユーザ方向情報Ｍ２を取得して、端末装置１ひいてはユーザの向いている方向をあらわしたユーザ方向表示体１２を、座標点６２を起点にして表示部２６に表示させる。
【００２９】
上述の座標点６２やユーザ方向表示体１２とは別に、本実施形態の表示制御手段３２は、目的地情報作成手段５２からの目的地情報Ｍ５に基づき、座標点６２を起点にしてユーザが予め特定した例えば目的地Ｏ１の向かう方向をあらわした扇形状の目的地方向表示体１３と、地図表示体１０上での目的地Ｏ（Ｏ１，Ｏ２）の位置のあらわす目的地表示体Ｔ（Ｔ１，Ｔ２）を、表示部２６に表示させている。この目的地方向表示体１３は、座標点６２から目的地Ｏ１の存在する方向へ一定間隔毎に描かれた複数の円弧線６５と、円弧線６５の左右両端の範囲内で、座標点６２から円弧線６５に向けて直線状に、且つ一定時間毎に左右に移動しながら描かれる境界線６６と、特定の目的地Ｏ１の存在する方向の範囲を特定するために、円弧線６５の左右両端の範囲内で、移動する境界線６６の後方では濃い色で描かれ、境界線６６が離れるにしたがって薄い色に描かれ、さらには地図表示体１０を可視できるように半透明に描かれる半透明領域６７と、により構成される。
【００３０】
このように、本実施形態の端末装置１は、ユーザ位置情報作成手段３１からのユーザ位置情報Ｍ１と、ユーザ方向情報作成手段３３からのユーザ方向情報Ｍ２と、目的地情報作成手段５２からの目的地情報Ｍ５をそれぞれ取得し、目的地Ｏの位置を目的地表示体Ｔとして表示させるだけでなく、ユーザ自身の現在位置であるスポット状の座標点６２を中心として、ユーザの向いている方向であるユーザ方向表示体１２と、特定の目的地Ｏ１の存在する方向である目的地方向表示体１３を、地図表示体１０上にそれぞれ表示部２６に表示させるような表示制御手段３２を、アプリケーションとして備えているといえる。つまり、ユーザが特定した避難場所である目的地Ｏ１に辿り着くまでの過程で、ユーザ自身の位置に対して目的地Ｏ１がどの位置にあるのかを、端末装置１の表示部で直接的に表示するだけでなく、ユーザ自身が向かう方向に対して、目的地Ｏ１がどちらの方向にあるのかを、端末装置１の表示部２６で表示するので、災害時において目的地Ｏ１へ向かう避難経路が寸断されている状況下でも、ユーザは表示部２６の表示形態を頼りにして、実際の目的地Ｏ１に速やかに辿り着くことが可能になる。
【００３１】
なお、上記構成において、図３で提示した表示部２６の表示形態は、あくまでも一例にすぎず、視覚的な工夫をさらに加えても構わない。また、目的地Ｏが複数個設定される場合は、操作部２２からの入力により、目的地方向表示体１３の表示対象となる特定の目的地Ｏを、何時でも任意に切替えることができるようにしてもよい。本実施形態では、端末装置１にインストールされたアプリケーションと、サーバ２の制御部４１および記憶部４２により、避難誘導システムが構成される。
【００３２】
次に、上記構成における作用について、図４に示すサーバ２側の動作手順を示したフローチャートを参照して説明する。
【００３３】
同図において、先ずステップＳ１では、ユーザが端末装置１の操作部２２を操作入力することにより、制御部２１から通信手段３を介してサーバ２に伝送された制御信号Ｃ１に基づき、目的地位置設定手段５１がユーザの避難場所となる一乃至複数の目的地Ｏを設定し、それぞれの目的地Ｏの位置を、目的地位置情報Ｍ３として目的地位置情報記憶手段５５に記憶させる。このステップＳ１における目的地Ｏの設定は、端末装置１とサーバ２が通信手段３を介して接続されている限り、何時でも追加，変更，削除が可能である。
【００３４】
また、目的地位置設定手段５１は、端末装置１の操作部２２からの操作入力により、ステップＳ１で設定した目的地Ｏの中で、特定の目的地Ｏ（例えば、目的地Ｏ１）を次のステップＳ２の手順で選択して設定し、目的地位置情報Ｍ３と関連付けて記憶部４２に記憶させる。このステップＳ２における特定の目的地Ｏ１の設定に関しても、端末装置１とサーバ２が通信手段３を介して接続されている限り、何時でも追加，変更，削除が可能である。
【００３５】
ステップＳ３では、操作部２２からの操作入力によって、避難誘導をスタートさせる旨の指令信号となる制御信号Ｃ１が送出されたか否かを、サーバ２側の制御部４１で判断する。端末装置１側から避難誘導をスタートさせる旨の制御信号Ｃ１が送出されれば、ステップＳ４に移行して、目的地情報作成手段５２は目的地位置情報記憶手段５５からの目的地位置情報Ｍ３を読み出し、その目的地位置情報Ｍ３とユーザ位置情報作成手段３１からのユーザ位置情報Ｍ１とに基づいて、目的地位置情報記憶手段５５に記憶する全ての目的地Ｏの位置と、ユーザの現在位置から特定の目的地Ｏ１への方向と、ユーザの現在位置から特定の目的地Ｏ１までの距離を、目的地情報Ｍ５として算出する。この目的地情報Ｍ５を、サーバ２から端末装置１の表示制御手段３２に送出することで、端末装置１の表示部２６では、図３に示すような表示が行われる。そして、端末装置１の表示部２６において、ユーザ方向表示体１２の方向が、目的地方向表示体１３を構成する扇形の半透明領域６７を外れないように、端末装置１を保持するユーザが実際に特定の目的地Ｏ１に向けて移動すれば、避難経路がどのような状況になっているのかに拘らず、その特定の目的地Ｏ１に自ずと最短距離で到達することが可能になる。
【００３６】
一方、前述のステップＳ３で、端末装置１側から避難誘導をスタートさせる旨の制御信号Ｃ１が送出されなければ、ステップＳ１の手順に戻る。
【００３７】
ステップＳ４で、目的地情報作成手段５２が目的地情報Ｍ５を送出すると、次のステップＳ５において、目的地到達判定手段５３は、ユーザ位置情報作成手段３１からのユーザ位置情報Ｍ１に基づいて、ユーザが特定の目的地Ｏ１の位置に到達したか否かを判定し、ユーザがその位置に到達したと判定した場合にのみ、目的地情報作成手段５２に目的地到達情報Ｍ４を送出する。このとき目的地情報作成手段５２は、目的地到達判定手段５３からの目的地到達情報Ｍ４を受取らない限り、前述のステップＳ１に戻る一方で、目的地到達判定手段５３からの目的地到達情報Ｍ４を受取った場合には、続くステップＳ６に移行して、端末装置１の表示制御手段３２に問合せ情報Ｍ６を送出する。表示制御手段３２は、問合せ情報Ｍ６を受取ると、特定の目的地Ｏ１以外に避難すべき別な目的地Ｏが存在するのか否かについて、操作部２２からの入力を促すように表示部２６を表示させる。
【００３８】
これを受けて、ステップＳ７では、端末装置１の操作部２２から、別な目的地Ｏに避難する旨の制御信号Ｃ１が制御部４１に送出されると、ステップＳ１の手順に戻り、ステップＳ２で別な特定の目的地Ｏ（例えば、目的地Ｏ２）を設定した後、上述したステップＳ３〜ステップＳ７の各手順を繰り返し行なうことができる。一方、ステップＳ７で別な目的地Ｏには避難しない旨の制御信号Ｃ１が制御部４１に送出されると、表示部２６による避難誘導の表示は終了する。
【００３９】
なお、上述したサーバ２側の動作手順の説明では、次のような変形例も可能である。
【００４０】
前記ステップＳ２において、端末装置１の操作部２２からの操作入力により、ユーザが予め特定の目的地Ｏを立ち寄る順番（例えば、目的地Ｏ１→目的地Ｏ２の順）と共に設定しておき、ステップＳ５において、最初に特定の目的地Ｏ１に到達したら、ステップＳ６，Ｓ７の手順を省略してステップＳ４の手順に戻り、端末装置１の表示部２６に対して、それまでの特定の目的地Ｏ１に代わって、次の特定の目的地Ｏ２の存在する方向を目的地方向表示体１３で表示させるように、目的地情報作成手段５２が端末装置１の表示制御手段３２に目的地情報Ｍ５を送出してもよい。
【００４１】
また、特定の目的地Ｏに立ち寄る順番を、ユーザ位置情報作成手段３１からのユーザ位置情報Ｍ１と、目的地位置情報記憶手段５５に記憶される目的地位置情報Ｍ３に基づき、目的地位置設定手段５１が決定してもよい。この場合、ステップＳ２では、端末装置１の操作部２２からの操作入力により、ユーザが予め特定の目的地Ｏを設定するだけでよい。目的地位置設定手段５１は、設定した特定の目的地Ｏが２つ以上存在する場合（例えば、特定の目的地Ｏ１，Ｏ２が存在する場合）、ユーザの現在位置から特定の目的地Ｏ１，Ｏ２までの距離をそれぞれ算出し、その距離に応じて特定の目的地Ｏに立ち寄る順番を決定すればよい。
【００４２】
以上のように、本実施形態の避難誘導システムは、災害から退避するための目的地Ｏの位置情報を目的地位置情報Ｍ３として記憶する目的地位置情報記憶手段５５と、ユーザが携帯所持する端末装置１の位置情報を端末装置１側のユーザ位置情報作成手段３１から所定時間毎にユーザ位置情報Ｍ１として取得し、このユーザ位置情報Ｍ１と目的地位置情報記憶手段５５からの目的地位置情報Ｍ３とに基づき、端末装置１を起点とした目的地Ｏの方向を所定時間毎に算出する方向算出手段としての目的地情報作成手段５２と、端末装置１の表示部２６に、ユーザ位置情報Ｍ１で得られる該端末装置１ひいてはユーザの現在位置と、目的地位置情報Ｍ３で得られる避難場所となる目的地Ｏの位置と、目的地情報作成手段５２の算出結果で得られる端末装置１を起点とした目的地Ｏの方向とを、それぞれユーザ位置表示体１１と、目的地表示体Ｔ１と、目的地方向表示体１３として表示させる表示制御手段と、を備えている。
【００４３】
この場合、ユーザが携帯所持する端末装置１の位置情報を、ユーザ位置情報Ｍ１として取得する毎に、端末装置１ひいてはユーザの現在位置と、避難場所である目的地Ｏの位置だけでなく、ユーザの現在位置を起点とした目的地Ｏに向かう方向も、端末装置１の表示部２６にそれぞれ表示される。そのため、仮にユーザの現在位置から目的地Ｏに向かうまでの避難経路が寸断されている状況下でも、端末装置２の表示部２６に表示されるユーザの現在位置や、目的地Ｏの位置に加えて、目的地Ｏに向かう方向を頼りにして、最短で避難する目的地Ｏに辿り着くことができ、災害者に対する安全性を高めた避難誘導システムを提供できる。
【００４４】
また、本実施形態の表示制御手段３２は、端末装置１の方向検出部２４で検出した端末装置１の向かう方向と、ユーザの現在位置から特定の目的地Ｏに向かう方向を、それぞれユーザ方向表示体１２と目的地方向表示体１３として端末装置１の表示部２６に表示させる構成となっている。
【００４５】
この場合、端末装置１の表示部２６には、ユーザの現在位置から特定の目的地Ｏに向かう方向が目的地方向表示体１３として表示されると共に、現在のユーザの向いている方向がユーザ方向表示体１２として表示される。つまり、端末装置１の表示部２６において、ユーザ方向表示体１２の方向が、目的地方向表示体１３の方向と一致するように、ユーザが実際に避難場所となる目的地Ｏに向けて移動すれば、表示部２６に表示される内容を十分に理解しなくても、その目的地Ｏに自ずと最短距離で到達することが可能になる。
【００４６】
以上のように、本発明の一実施形態について説明したが、当該実施形態はあくまでも例として提示したに過ぎず、発明の範囲を限定することを意図していない。ここに提示したれ実施形態は、その他の様々な形態で実施可能であり、発明の要旨を逸脱しない範囲で、種々の省略、置換、変更が可能である。
【符号の説明】
【００４７】
１  端末装置
２６  表示部
３２  表示制御手段
５２  目的地情報作成手段（方向算出手段）
５５  目的地位置情報記憶手段
【図２】
2014229050.tif 000003
【図４】
2014229050.tif 000004
【図１】
2014229050.tif 000005
【図３】
2014229050.tif 000006